(57)【要約】      （修正有）【課題】搬送時に落とす可能性を少なくするため、本等に固定でき、本等と一緒に持ち運びできるようにしたペンケースを提供する。【解決手段】ペンケース１０は、一端部に開口部１１を有する全体略袋状に形成されたペン収納部１２と、上記ペン収納部１２と一体に延設され、上記開口部１１を開閉可能に被覆するカバー部１３とを有し、上記ペン収納部１２の裏面側１４には、被固定部材としての本１５に上記ペン収納部１２を固定しうる固定部材を備えている。また、上記固定部材は、長さ調節可能なアジャスターを備えたベルト部材１７とすることができる。【選択図】図１
0003167146.tif 000002
【実用新案登録請求の範囲】
【請求項１】
一端部に開口部を有する全体略袋状に形成されたペン収納部と、上記ペン収納部と一体に延設され、上記開口部を開閉可能に被覆するカバー部とを有し、上記ペン収納部裏面側には、被固定部材に上記ペン収納部を固定しうる固定部材を備えていることを特徴とするペンケース。
【請求項２】
上記固定部材は、長さ調節可能なアジャスターを備えたベルト部材であることを特徴とする請求項１記載のペンケース。
【請求項３】
上記固定部材は、接合部を介して連設され、開閉可能に形成された一対の把持片部を備えたクリップ部材であることを特徴とする請求項２記載のペンケース。
【請求項４】
上記一対の把持片部は、厚さの薄い被固定部材を介して磁気的に吸着固定しうるように、夫々、磁気吸着部を有することを特徴とする請求項３記載のペンケース。
【考案の詳細な説明】
【技術分野】
【０００１】
本考案は、ペンケースの改良に関する。
【背景技術】
【０００２】
従来より、各種のペンケースが市販されており、このようなペンケースは、数本のペン等を持ち歩く場合に収納して使用する。
【０００３】
この場合、ペンケースを持ち歩く際には、本等を同時に持ち歩く場合が多く、別個に持ち歩く場合には搬送時に落とすこともあり、本等に固定して一緒に持ち歩くことができれば便利である。しかしながら、従来、このような要請に応えるペンケースは存在しなかった。
【考案の開示】
【考案が解決しようとする課題】
【０００４】
本考案はこのような従来からの不具合を解決するためのものであって、その課題は、本等に固定でき、本等と一緒に持ち運びできるペンケースを提供することにある。
【課題を解決するための手段】
【０００５】
上記課題達成のため、請求項１記載の考案にあっては、一端部に開口部を有する全体略袋状に形成されたペン収納部と、上記ペン収納部と一体に延設され、上記開口部を開閉可能に被覆するカバー部とを有し、上記ペン収納部裏面側には、被固定部材に上記ペン収納部を固定しうる固定部材を備えていることを特徴とする。
【０００６】
従って、請求項１記載の考案にあっては、固定部材によりペン収納部を固定することができる。
【０００７】
請求項２記載の考案にあっては、上記固定部材は、長さ調節可能なアジャスターを備えたベルト部材であることを特徴とする。
【０００８】
従って、請求項２記載の考案にあっては、上記アジャスターによりベルト部材の長さ調節を行い、被固定部材に固定することができる。
【０００９】
請求項３記載の考案にあっては、上記固定部材は、接合部を介して連設され、上記接合部を介して開閉可能に形成された一対の把持片部を備えたクリップ部材であることを特徴とする。
【００１０】
従って、請求項３記載の考案にあっては上記一対の把持片部を備えたクリップ部材により被固定部材に固定する。
【００１１】
請求項４記載の考案にあっては、上記一対の把持片部は、厚さの薄い被固定部材を介して磁気的に吸着固定しうるように、夫々、磁気吸着部を有することを特徴とする。従って、請求項４記載の考案にあっては、把持片部は磁気的に固定される。
【考案の効果】
【００１２】
請求項１〜４記載の考案にあっては、一端部に開口部を有する全体略袋状に形成されたペン収納部と、上記ペン収納部と一体に延設され、上記開口部を開閉可能に被覆するカバー部とを有し、上記ペン収納部裏面側には、被固定部材に上記ペン収納部を固定しうる固定部材を備えており、固定部材によりペン収納部を固定することができることから、本等に固定して持ち運べるペンケースを提供することができる。
【００１３】
請求項２記載の考案にあっては、上記効果に加えて、上記固定部材は、長さ調節可能なアジャスターを備え、上記アジャスターによりベルト部材の長さ調節を行い、被固定部材に固定することができることから、大きさの異なる被固定部材に合わせてペン収納部を固定することができる。
【００１４】
請求項３記載の考案にあっては、上記固定部材は、接合部を介して連設され、開閉可能に形成された一対の把持片部を備えたクリップ部材であり、上記一対の把持片部を備えたクリップ部材により被固定部材に固定することができることから、迅速にペンケースを被固定部材に固定することができる。
【００１５】
請求項４記載の考案にあっては、上記一対の把持片部は、厚さの薄い被固定部材を介して磁気的に吸着固定しうるように、夫々、磁気吸着部を有し把持片部は磁気的に固定されることから、容易にペンケースを被固定部材に固定することができると共に、容易にペンケースを被固定部材から取り外すことができる。
【図面の簡単な説明】
【００１６】
【図１】本考案に係るペンケースの第一の実施の形態及び第二の実施の形態を示す斜視図であり、本の表紙に固定した状態を示す図である。
【図２】本考案に係るペンケースの第一の実施の形態及び第二の実施の形態を示す斜視図であり、本の表紙に固定した状態を、表紙裏面側から示す図である。
【図３】本考案に係るペンケースの第一の実施の形態及び第二の実施の形態を示す図２の3―3線断面図である。
【考案を実施するための最良の形態】
【００１７】
以下、添付図面に示す実施の形態に基づき、本考案を詳細に説明する。
図１に示すように、本実施の形態に係るペンケース１０は、一端部に開口部１１を有する全体略袋状に形成されたペン収納部１２と、上記ペン収納部１２と一体に延設され、上記開口部１１を開閉可能に被覆するカバー部１３とを有し、上記ペン収納部１２の裏面側１４には、被固定部材としての本１５に上記ペン収納部１２を固定しうる固定部材を備えている。
【００１８】
図２に示すように、第一の実施の形態にあっては、上記固定部材は、長さ調節可能なアジャスター１６を備えたベルト部材１７である。
【００１９】
同様に、図２及び図３に示すように、第二の実施の形態にあっては、上記固定部材は、横断面略コ字状であって、接合部１８を介して連設され、上記接合部１８を介して開閉可能に形成された一対の把持片部１９、１９を備えたクリップ部材２０である。
【００２０】
図２及び図３に示すように、上記一対の把持片部１９、１９は、厚さの薄い被固定部材、例えば、本の表紙２１を介して磁気的に吸着固定しうるように、夫々、磁気吸着部２２、２２を有している。
【００２１】
従って、図２に示すように、本実施の形態に係るペンケース１０は、本１５等と共に持ち歩く場合には、第一の実施の形態にあっては、本１５の表紙２２の縦方向に沿ってベルト部材１７を掛け回し、アジャスター１６により長さ調節を行うことにより本１５の表紙の適宜部位にしっかりと固定することができる。
【００２２】
また、図３に示すように、第二の実施の形態にあっては、クリップ部材２０を用いて、本２１の表紙１５の、例えば、上端部を把持片部１９、１９により挟持させることにより固定することができる。
第二の実施の形態にあっては、第一の実施の形態の場合とは異なり、容易に固定又は取り外すことができるペンケース１０を提供することができる。
【符号の説明】
【００２３】
１０  ペンケース
１１  開口部
１２  ペン収納部
１３  カバー部
１４  裏面側
１５  被固定部材（本）
１６  アジャスター
１７  ベルト部材
１８  接合部
１９  把持片部
２０  クリップ部材
【図１】
0003167146.tif 000003
【図２】
0003167146.tif 000004
【図３】
0003167146.tif 000005